(57)【特許請求の範囲】
【請求項１】
構造物躯体の開口部を閉鎖する開閉体の前記構造物躯体外側に太陽電池手段を設け、前記開閉体の前記構造物躯体内側に前記太陽電池手段の起電力によって発光する発光手段を備えた開閉体装置において、
前記開閉体は前記構造物躯体の開口部の側端部に設けられた出入口部を介して移動動作して前記開口部を閉鎖する複数のスラットから構成され、
前記太陽電池手段は前記スラットの平面性を維持するように前記スラット表面に設けられた太陽電池で構成され、
前記発光手段は前記太陽電池の受光面とは反対側の面に設けられた複数のＬＥＤで構成され、
前記ＬＥＤの発光部は前記スラットに設けられた開口部を介して前記構造物躯体内側を照明することを特徴とする開閉体装置。
【請求項２】
請求項１に記載の開閉体装置において、前記太陽電池手段はフィルム状の太陽電池で構成され、前記スラットの１又は複数枚の表面に設けられることを特徴とする開閉体装置。
【発明の詳細な説明】
【技術分野】
【０００１】
本発明は、家屋、ビル、工場、倉庫などの建物を含む構造物躯体の窓や出入口などの開口部に設置される開閉体部材を開閉する開閉体装置に係り、特に開閉体部材の閉鎖によって暗くなった躯体内を適当な明るさにすることのできる開閉体装置に関する。
【背景技術】
【０００２】
一般に、家屋、ビル、工場、倉庫などの構築・構造物内部の窓や出入口などの開口部を仕切るために、シート状、スラット状又はパネル状のスクリーンやシャッターカーテンなどからなる開閉体装置が使用されることが多い。これらの開閉体装置は、遮光性が高く、昼間の日射避けや外部からの目隠し用として使用されることがある。
昼間の日射避けや外部からの目隠し用として好適であると同時に、室内冷房効率を損なわず、省エネルギー対策として有効な開閉体装置として、特許文献１に記載のものが知られている。
【特許文献１】実用新案登録第３０９５９０３号公報
【発明の開示】
【発明が解決しようとする課題】
【０００３】
上述のような従来の開閉体装置は、全閉鎖した場合に、例えば災害時の停電等により、開閉体装置付近の光が僅かだったり又は光が存在しなかったりする、いわゆる暗がりになると、非常口表示や侵入禁止表示等が視認不能になってしまうおそれがあった。
一般住居においては、昼間は窓から採光している。しかし、夏場などは日光による室温上昇を防ぐために上述のような開閉体装置を閉鎖して遮光したりすることが多い。その際、室内全体がいわゆる暗がりになるため、電灯照明が必要になる。一般的な室内の電灯照明は商用電源を用いており、省エネルギー対策の観点から好ましくなく、また、一般的な室内の電灯照明は夜間と同じものを使用しており、夏場に毎日窓を遮光すると体内時計の狂いから体調不良を招くおそれがある。
【０００４】
本発明は、上述の点に鑑みてなされたものであり、開閉体部材の全閉時であっても十分な採光を得ることのできる開閉体装置を提供することにある。
【課題を解決するための手段】
【０００５】
本発明に係る開閉体装置の第１の特徴は、構造物躯体の開口部を閉鎖する開閉体の前記構造物躯体外側に太陽電池手段を設け、前記開閉体の前記構造物躯体内側に前記太陽電池手段の起電力によって発光する発光手段を設けたことにある。
開閉体装置は、ビル、住宅、工場、倉庫等の建物などの構造物躯体における、出入口や窓部、あるいは構造物内部の通路や空間などの開口部などを開閉移動するものである。開閉体が開口部を閉鎖することによって構造物躯体内が遮光され、暗くなることがある。そこで、この発明では、構造物躯体外側となる開閉体の外側面に太陽電池手段を設け、太陽電池手段による起電力によって発光する発光手段を構造物躯体内側となる開閉体の内側面に設け、開閉体が閉鎖して構造物躯体内側が暗くなった場合でも開閉体内側面の発光手段からの発光によって採光可能とした。
【０００６】
本発明に係る開閉体装置の第２の特徴は、前記第１の特徴に記載の開閉体装置において、前記開閉体は前記構造物躯体の開口部の側端部に設けられた出入口部を介して移動動作して前記開口部を閉鎖する複数のスラットから構成され、前記太陽電池手段は前記スラット表面に設けられたフィルム状の太陽電池で構成され、前記発光手段は前記フィルム状の太陽電池の受光面とは反対側の面に設けられた複数のＬＥＤで構成され、前記ＬＥＤの発光部は前記スラットに設けられた開口部を介して前記構造物躯体内側を照明することにある。この発明では、開閉体がスラットで構成され、構造物躯体外側となるスラット表面にフィルム状太陽光電池手段を設け、このフィルム状太陽電池の裏面に発光手段としてＬＥＤを設け、ＬＥＤの発光部をスラットに設けた開口部から構造物躯体内側を照明するように構成したものである。フィルム状太陽電池を用いることで、スラットの平面性を維持することができる。また、ＬＥＤを用いて構造物躯体内側を照明することによって、太陽光に比べてＬＥＤの発光は構造物躯体内の温度上昇を抑制することができるので、省エネルギー対策上有利である。
【発明の効果】
【０００７】
本発明の開閉体装置によれば、開閉体部材の全閉時であっても十分な採光を得ることができるという効果がある。
【図面の簡単な説明】
【０００８】
【図１】本発明に係るシャッター装置の概略構成を示す図である。
【図２】図１の発光部材がシャッターカーテンに取り付けられた状態を示す側面図である。
【発明を実施するための形態】
【０００９】
以下添付図面に従って本発明に係る開閉体装置の好ましい実施の形態について説明する。この実施の形態では開閉体手段として上下に開閉制御されるシャッター装置を例に説明する。図１は、本発明に係るシャッター装置の概略構成を示す図である。図１（Ａ）はスラットから構成されるシャッターカーテンを示す図である。図１（Ｂ）はシャッターカーテンを構成する各スラット表面に取り付けられるフィルム状の太陽電池とその裏面に設けられたＬＥＤ群とからなる発光素子部材を示す図である。図２は、図１の発光部材がシャッターカーテンに取り付けられた状態を示す側面図である。
【００１０】
開閉体装置に用いられるシャッターカーテンなどの開閉体は、多数のスラットを上下方向（閉鎖方向や移動方向）に多数連結することによって形成されている。図１（Ａ）は、６枚のスラット１１〜１６がそれぞれの連設された様子を示している。図１（Ａ）に示すように、各スラット１１〜１６は、上端部に形成された第１カール部と下端部に形成された第２カール部を有し、スラット１１の第２カール部にスラット１２の第１カール部が挿入係合されることによって、スラット１１とスラット１２は上下に連設されている。同様にして、スラット１２〜１６も図示のように連設されている。図１（Ａ）に示すように、各スラット１１〜１６には、図１（Ｂ）に示すＬＥＤ（発光素子）の嵌め込まれる開口部を有する。
【００１１】
図１（Ｂ）は、図１（Ａ）の６枚のスラット１１〜１６にそれぞれ取り付けられる発光部材の構成を示す。発光部材はフィルム状太陽電池２１〜２６と、これらのフィルム状太陽電池２１〜２６からの起電力を取り出してＬＥＤに供給する電極線２１ａ〜２６ａ，２１ｂ〜２６ｂと、これらの電極線２１ａ〜２６ａ，２１ｂ〜２６ｂ間に配置されたＬＥＤ群とから構成される。フィルム状太陽電池２１〜２６には、スラット１１〜１６の開口部に合わせて、それぞれ１２個のＬＥＤが取り付けられている。フィルム状太陽電池２１〜２６は、図の裏面側が太陽光を受光する面である。なお、適宜、フィルム状太陽電池２１〜２６からＬＥＤ群までの回路に抵抗や定電流ダイオードを用いた保護回路を設け、この保護回路を介してＬＥＤ群に電流を供給するようにすることが好ましい。
【００１２】
従って、図２に示すように、フィルム状太陽電池２１〜２６は室外側のシャッターカーテン表面に設けられるので、シャッターカーテンの全面は太陽光の受光面となり、ＬＥＤ群を発光させる十分な電力を得ることができる。また、日中の暑さ対策のために、窓などのシャッターを閉鎖したときの電灯照明を太陽電池による照明とし、かつ、この照明をシャッターカーテンからの照明とすることができる。図２に示すように、室外側は、赤外線を有する太陽光が存在するが、シャッターカーテンを用いて窓などの開口部を閉鎖することによって、太陽光を遮り、室温上昇を押さえながら、室内を温めにくいＬＥＤ光にて室内を照明することができる。さらに、昼間の光の入り具合を再現でき、ＬＥＤ付きのフィルム状太陽電池をシャッターカーテン表面に添付するだけでよく、電気配線等を省略することできる。また、空調電力を低減でき、太陽光発電として窓部分を有効に活用することができる。
【００１３】
上述の実施の形態では、上下昇降方式で繰り出されるシャッターカーテンを例に説明したが、シャッター状の開閉部材が横引き方式で繰り出されたり、あるいは水平方式で繰り出されたりするものであっても同様に適用することができる。また、開閉体装置としては、例えば、シャッター装置、窓シャッター装置、ブラインド装置、ロールスクリーン装置、垂れ幕装置、引戸装置、移動間仕切装置、オーニング装置、防水板装置などにも適用可能である。
【００１４】
上述の実施の形態では、シャッターカーテンのスラットの長手方向に太陽電池の配線を施してあるので、配線が簡単であるというメリットがある。また、太陽電池を保護するための保護シートや透明シートを設けてもよい。フィルム状太陽電池をスラットとスラットの接続であるインターロック部に間隙を設けて配置しているが、フィルム状太陽電池の下側を長くして、下側のフィルム状太陽電池と一部分が重畳するようにしてもよい。また、上述の実施の形態では、フィルム状太陽電池を断面形状が略凹状のスラットの外側平坦部（図２においてシャッターカーテンの左側）に設ける場合について説明したが、略凹状スラットの内側平坦部側（図２においてシャッターカーテンの右側）を室外として、そこにフィルム状太陽電池を設けてもよい。この場合、シャッターカーテンの巻取り時にフィルム状太陽電池が他のシャッターカーテンに接触することを防止することが可能となる。上述の実施の形態では、シャッターカーテンの全スラットにフィルム状太陽電池を設ける場合について説明したが、奇数又は偶数番目のスラットに１のフィルム状太陽電池を設けてもよい。また、複数枚のスラットに対して１のフィルム状太陽電池を設けてもよい。１枚のスラットに設けたフィルム状太陽電池では十分な電力を得ることができない場合には、フィルム状太陽電池を複数枚のスラットに設け、ＬＥＤをその中の１のスラットに設け、スラット間のフィルム状太陽電池の電極をフィルム状の配線を介して接続してもよい。スリットを有するスリットシャッターのスリット部にフィルム状太陽電池とＬＥＤを設けてもよい。ＬＥＤには白色ＬＥＤを使用しているが、外部日光の光量に応じて特定色のＬＥＤのみが発光するようにしてもよい。上述の実施の形態では、スラットにフィルム状太陽電池とＬＥＤを設ける場合について説明したが、ロールスクリーン装置のスクリーンとしてフィルム状太陽電池を使用し、その内側にＬＥＤを設けるようにしてもよい。
【符号の説明】
【００１５】
１１〜１６…スラット、
２１〜２６…フィルム状太陽電池、
２１ａ〜１６ａ，２１ｂ〜２６ｂ…電極線
【図１】
0006008526.tif 000002
【図２】
0006008526.tif 000003